(57)【特許請求の範囲】
【請求項１】
交流電源からの交流電圧を整流する整流器と、
パルス幅変調信号に基づいて導通期間が制御される半導体スイッチング素子を含み、前記半導体スイッチング素子の導通、非導通によって、前記整流器からの整流電圧を降圧する降圧チョッパと、
この降圧チョッパからの直流電圧を交流電圧に変換して、めっき用電極に供給する直流−交流変換器とを、
具備し、
前記直流−交流変換器と前記めっき用電極との間にリアクトルが設けられ、前記直流−交流変換器から前記リアクトルへの電流非供給時に、前記リアクトルから前記降圧チョッパの入力側に、前記リアクトルに蓄積されたエネルギーに基づく電流を回生させる単方向性の回生経路が設けられ、
前記整流器の出力側に平滑用コンデンサが設けられ、この平滑用コンデンサと前記降圧チョッパの入力側との間に昇圧用コンデンサが設けられ、この昇圧用コンデンサと並列に、前記整流器の出力側から前記降圧用チョッパの入力側に電流が流れる方向に単方向性素子が設けられているめっき用電源装置。
【請求項２】
請求項１記載のめっき用電源装置において、前記降圧チョッパが、両面プリント基板に設けられているめっき用電源装置。
【発明の詳細な説明】
【０００１】
【発明の属する技術分野】
本発明は、めっき用電源装置に関し、特に交番する電流を供給するものに関する。
【０００２】
【従来の技術】
従来、交番する電流を供給するめっき用電源装置は、例えば両面スルーホールを配置したプリント基板をめっきするのに使用することがある。このようなめっき用電源装置の一例を図７に示す。この電源装置では、三相商用交流電源からの三相交流電圧が入力側整流器２によって整流され、平滑用コンデンサ４によって整流される。この整流、平滑された電圧がインバータ６によって、例えば数ＫＨｚ乃至数十ＫＨｚの高周波電圧に変換される。インバータ６は、図示していないが、ＩＧＢＴやＦＥＴ等の半導体スイッチング素子をフルブリッジに構成したもので、これらの導通期間が、制御回路８によって制御されている。この高周波電圧は、変圧器１０によって所定の値の高周波電圧に変圧される。変圧された高周波電圧は、出力側整流器１２によって整流され、さらに同一の磁芯に巻回されたリアクトル１４ａ、１４ｂによって平滑される。この整流、平滑された電圧は、フルブリッジ構成のインバータ１６によって数十Ｈｚ乃至数百Ｈｚの低周波交流電圧に変換され、直流リアクトル１８ａ、１８ｂを介してめっき槽のめっき用電極２０ａ、２０ｂを介してめっき材に供給される。なお、インバータ１６も、ＩＧＢＴやＦＥＴ等の半導体スイッチング素子をフルブリッジに接続したもので、これら半導体スイッチング素子の導通期間が制御回路２２によって制御されている。
【０００３】
【発明が解決しようとする課題】
このように構成されためっき用電源装置では、インバータ６と変圧器１０とを設けているので、インバータ６に使用されているＩＧＢＴやＦＥＴでのエネルギー損失が大きい。また、インバータ１６の出力側に設けられている直流リアクトル１８ａ、１８ｂにおいて消費されるエネルギー損失も大きい。これらがあいまって、このめっき用電源装置全体としての効率が悪くなっていた。更に、出力側整流器１２で整流された電圧が平滑リアクトル１４ａ、１４ｂによって平滑されるとき、このリアクトル１４ａ、１４ｂでの消費エネルギーが大きく、効率が更に悪くなっていた。また、直流リアクトル１４ａ、１４ｂを、出力側整流器１２やインバータ１６に接続する際、プリント基板上に形成したパターン配線を利用するが、これらパターン配線のインダクタンスが大きくなり、更に効率を低下させていた。また、インバータ６と変圧器１０とを使用しているため、めっき用電極２０ａ、２０ｂに発生する電流の立ち上がり応答性が悪くなっていた。
【０００４】
本発明は、効率を改善し、かつ応答性を向上させためっき用電源装置を提供することを目的とする。
【０００５】
【課題を解決するための手段】
本発明によるめっき用電源装置は、交流電源からの交流電圧を整流する整流器を有している。交流電源としては、三相交流電源や単相交流電源を使用することができる。整流器としては、全波整流回路や半波整流回路を使用することができる。整流器からの整流電圧を降圧チョッパが降圧する。この降圧チョッパは、半導体スイッチング素子を含み、これはパルス幅変調信号に基づいて導通期間が制御される。この降圧チョッパから直流電圧を変換して、めっき用電極に直流−交流変換器が交流電圧を供給する。直流−交流変換器としては、ハーフブリッジ型またはフルブリッジ型のインバータを使用することができる。
【０００６】
このように構成されためっき用電源装置では、交流電源を整流して得た電圧を降圧チョッパによって降圧した後に、直流−交流変換器によって交流電圧に変換して、めっき用電極に供給しているので、入力側整流器、高周波電圧変換用のインバータが不要であり、この電源装置の効率を向上させることができる。特に、降圧チョッパは、半導体スイッチング素子の導通期間をＰＷＭ信号によって制御するものであるので、負荷短絡が生じた場合には、ＰＷＭ信号のうち導通を指示する期間を表すパルス幅を絞ることによって、短絡保護することができるし、上記パルス幅を広げることによってめっき用電極に流れる電流の立ちあがりを速くすることができ、めっき電流の立ち上がりも速くすることができ、応答性を改善することができる。
【０００９】
上記のめっき用電源装置において、直流−交流変換器とめっき用電極との間にリアクトルを設けてある。直流−交流変換器からリアクトルへの電流非供給時に、前記リアクトルから前記降圧チョッパの入力側に、前記リアクトルに蓄積されたエネルギーに基づく電流を回生させる単方向性の回生経路が設けられている。この回生経路は、例えば直流−交流変換器内にある半導体スイッチング素子の導電路に並列に設けた降圧チョッパの入力側にのみ電流を流す単方向素子と、この単方向素子に接続され、降圧チョッパの入力側にのみ電流を流す別の単方向素子とから構成することができる。
【００１０】
この構成では、直流−交流変換器とめっき用電極との間に設けたリアクトルに蓄積されたエネルギーに基づく電流を回生経路を介して降圧チョッパの入力側に帰還させているので、この電源装置の効率を向上させることができる。
【００１１】
更に、整流器の出力側に平滑用コンデンサを設け、この平滑用コンデンサと降圧チョッパの入力側との間に昇圧用コンデンサを設け、この昇圧用コンデンサと並列に、整流器の出力側から降圧用チョッパの入力側に電流が流れる方向に単方向性素子が設けられている。この構成では、回生経路からの電流は昇圧用コンデンサを介して平滑用コンデンサに流れる。このとき、昇圧用コンデンサの電圧が上昇する。平滑用コンデンサから直流電圧を降圧チョッパに供給する際、平滑用コンデンサの電圧に、昇圧用コンデンサの電圧が重畳される。即ち、降圧チョッパへの入力電圧が昇圧されて供給される。従って、めっき電流の傾きが急峻になり、良好なめっき性能を得ることができる。
【００１２】
上記のめっき用電源装置において、降圧チョッパを、両面プリント基板に設けることもできる。例えば、降圧チョッパが、第１及び第２の極性の電流用の降圧チョッパを使用している場合、両面プリント基板の一方の面に第１の極性の電流用の降圧チョッパを設け、他方の面に第２の極性の電流用の降圧チョッパを設けることができる。降圧チョッパは、半導体スイッチング素子とリアクトルとを含む場合、これらを両面プリント基板の１つの面上で接続することができ、配線長を短くすることができる。
【００１３】
【発明の実施の形態】
本発明の第１の参考例のめっき用電源装置は、図１に示すように、交流電源、例えば三相商用電源が供給される電源端子３０ａ乃至３０ｃを有している。これら電源端子３０ａ乃至３０ｃは、変圧器、例えば三相変圧器３２のスター結線された１次巻線３２Ｐに接続されている。この変圧器３２のスター結線された二次巻線３２Ｓには、変圧された三相交流電圧が誘起される。これら三相交流電圧は、整流器、例えば三相全波整流回路３４によって整流される。この三相全波整流回路３４は、整流ダイオード３４ａ乃至３４ｆによって構成されている。この三相全波整流回路３４によって整流された電圧は、正出力端子３４Ｐと負出力端子３４Ｎとの間に生成される。
【００１４】
この整流された電圧は、降圧チョッパ３６に供給される。降圧チョッパ３６は、第１の極性、例えば正極性用の降圧チョッパ３６ａと、第２の極性、例えば負極性用の降圧チョッパ３６ｂとを有している。
【００１５】
正極性用の降圧チョッパ３６ａは、正出力端子３４Ｐと二次巻線３２Ｓの中性点３２Ｔとの間に平滑用コンデンサ３８ａを有している。正出力端子３４Ｐに接続されている平滑用コンデンサ３８ａの正極に、半導体スイッチング素子、例えばＦＥＴ４０ａのドレインが接続されている。ＦＥＴ４０ａのソースは、直流リアクトル４２ａの一端に接続され、他端が降圧チョッパ３６ａの出力端子４４ａとされている。ＦＥＴ４０ａのドレイン−ソース間に逆並列にダイオード４６ａが接続され、更にＦＥＴ４０ａのソースとリアクトル４２ａとの接続点に、ダイオード４８ａのカソードが接続され、それのアノードが中性点３２Ｔに接続されている。
【００１６】
負極性用の降圧チョッパ３６ｂは、負出力端子３４Ｎと二次巻線３２Ｓの中性点３２Ｔとの間に平滑用コンデンサ３８ｂを有している。負出力端子３４Ｎに接続されている平滑用コンデンサ３８ｂの負極に、ＦＥＴ４０ｂのソースが接続されている。ＦＥＴ４０ｂのドレインは、直流リアクトル４２ｂの一端に接続され、他端が降圧チョッパ３６ｂの出力端子４４ｂとされている。ＦＥＴ４０ｂのドレイン−ソース間に逆並列にダイオード４６ｂが接続され、更にＦＥＴ４０ａのソースとリアクトル４２ａとの接続点に、ダイオード４８ａのアノードが接続され、それのカソードが中性点３２Ｔに接続されている。
【００１７】
正極性降圧チョッパ３６ａのリアクトル４２ａと、負極性降圧チョッパ３６ｂのリアクトル４２ｂとは、同一の磁芯上には構成されてなく、別個のものである。
【００１８】
これらＦＥＴ４０ａ、４０ｂは、降圧チョッパ制御回路４１から、それぞれのゲートに供給されるＰＷＭ信号に基づいて制御される。このＰＷＭ信号のデュティ比を変更することによって、ＦＥＴ４０ａ、４０ｂの導通期間を制御することができる。
【００１９】
この降圧チョッパ３６の出力端子４４ａと４４ｂとの間に、直流−交流変換器５０が設けられている。この直流−交流変換器５０では、２つの半導体スイッチング素子、例えばＩＧＢＴ５２ａ、５２ｂを、それらのエミッタ−コレクタ導電路が直列になるように接続されている。即ち、ＩＧＢＴ５２ａのコレクタが出力端子４４ａに接続され、ＩＧＢＴ５２ａのエミッタがＩＧＢＴ５２ｂのコレクタに接続され、ＩＧＢＴ５２ｂのエミッタが出力端子４４ｂに接続されている。
【００２０】
これらＩＧＢＴ５２ａ、５２ｂの導通期間は、これらのゲートに、直流−交流変換制御回路５４から、ＩＧＢＴ５２ａ、５２ｂに個別に供給されるＰＷＭ信号によって制御される。ＩＧＢＴ５２ａ、５２ｂは、これらに供給されたＰＷＭ信号が第１の状態、例えばＨレベルの状態にあるとき、導通し、第２の状態、たとえばＬレベルの状態にあるとき、非導通となる。ＩＧＢＴ５２ａが導通しているとき、ＩＧＢＴ５２ｂが非導通であり、ＩＧＢＴ５２ａが非導通のとき、ＩＧＢＴ５２ｂが導通するように、２つのＰＷＭ信号が設定されている。また、導通期間は、これらＰＷＭ信号のデュティ比を調整することによって制御される。なお、２つのＰＷＭ信号には、一方のＩＧＢＴが導通した状態から他方のＩＧＢＴが導通する状態になるまでの間、両ＩＧＢＴが共に非導通となるように、Ｌレベルである経過期間が設けられている。これらＩＧＢＴ５２ａ、５２ｂは、数十Ｈｚ乃至数百Ｈｚの周波数で導通、非導通を繰り返すように、ＰＷＭ信号が設定されている。
【００２１】
ＩＧＢＴ５２ａ、５２ｂのコレクタ・エミッタ導電路には、逆並列にダイオード５６ａ、５６ｂが接続されている。即ち、ダイオード５６ａ、５６ｂのカソードが、ＩＧＢＴ５２ａ、５２ｂのコレクタに接続され、アノードがＩＧＢＴ５２ａ、５２ｂのエミッタに接続されている。
【００２２】
直流−交流変換器５０の出力端子、即ち、ＩＧＢＴ５２ａのエミッタとＩＧＢＴ５２ｂのコレクタとの接続点は、直流リアクトル５８を介してめっき槽のめっき用電極５９に接続されている。このめっき用電極５９ともう１つのめっき用電極６０との間にめっき材が配置されている。めっき用電極６０と中性点３２Ｔとの間に直流リアクトル６１が接続されている。
【００２３】
また、降圧チョッパ３６の出力端子４４ａと、降圧チョッパ３６の平滑用コンデンサ３８ａの正極との間には、ダイオード５６ａと共に回生経路を形成する単方向性素子、例えばダイオード６２ａが接続されている。このダイオード６２ａは、出力端子４４ａから平滑用コンデンサ３８ａに電流が流れるように、それのアノードが出力端子４４ａに接続され、カソードが平滑用コンデンサ３８ａの正極に接続されている。同様に、降圧チョッパ３６の出力端子４４ｂと、降圧チョッパ３６の平滑用コンデンサ３８ｂの負極との間には、ダイオード５６ｂと共に回生経路を形成するダイオード６２ｂが接続されている。このダイオード６２ｂは、平滑用コンデンサ３８ｂの負極から出力端子４４ｂに電流が流れるように、それのアノードが平滑用コンデンサ３８ｂの負極に接続され、カソードが出力端子４４ｂに接続されている。
【００２４】
このめっき用電源装置の降圧チョッパ３６は、両面プリント基板上に構成されている。この両面プリント基板の一方の面側に正極性用の降圧チョッパ３６ａが形成され、他方の面に負極性用の降圧チョッパ３６ｂが構成されている。このように正極性用の降圧チョッパ３６ａを構成しているＦＥＴ４０ａ、リアクトル４２ａが同一面上に構成されているので、両者を接続する配線パターンは短くなり、不要な損失が生じることがない上に、ノイズ耐量も改善される。同様に、負極性用の降圧チョッパ３６ｂを構成しているＦＥＴ４０ｂ、リアクトル４２ｂも同一面上に構成されているので、両者を接続する配線パターンは短くなり、不要な損失が生じることがない上に、ノイズ耐量も改善される。
【００２５】
このように構成されためっき用電源装置では、電源端子３０ａ乃至３０ｃに三相商用交流電源が接続されたとき、変圧器３２の二次巻線３２Ｓには三相交流電圧が誘起され、整流器３４によって整流される。この整流電圧は、降圧チョッパ３６の平滑用コンデンサ３８ａ、３８ｂによって平滑される。降圧チョッパ制御回路４４からのＰＷＭ信号によってＦＥＴ４０ａ、４０ｂが導通、非導通を繰り返すことによって、平滑された電圧は降圧される。この降圧された電圧が、出力端子４４ａ、４４ｂ間に生成される。
【００２６】
ＩＧＢＴ５２ａが導通しているとき、出力端子４４ａから、ＩＧＢＴ５２ａ、リアクトル５８、めっき用電極５９、めっき材、めっき用電極６０、リアクトル６１、中性点３２Ｔに、正極性の電流が、図２に示すように期間ｔｐの間、流れる。ＩＧＢＴ５２ｂが導通しているとき、中性点３２Ｔからリアクトル６１、めっき用電極６０、めっき材、めっき用電極５９、リアクトル５８、ＩＧＢＴ５２ｂに、負極性の電流が、図２に示すように期間ｔｎの間、流れる。このように交互に正極性及び負極性の電流が流れるので、例えば両面スルーホールを配置したプリント基板のめっきに適している。
【００２７】
このめっき用電源装置では、変圧器３２からの三相交流電圧を整流器３４で整流し、その後に、降圧チョッパ３６によって降圧するように構成しているので、直流電圧を生成するのに関連する損失はＦＥＴ４０ａ、４０ｂによってのみ生じる。従って、直流電圧の生成による損失は少なく、効率を改善することができる。更に、めっき用電極６０ａ、６０ｂに供給される電流の立ち上がりが速くなり、電源の応答性も改善することができる。
【００２８】
さらに、ＦＥＴ４０ａ、４０ｂは、制御回路４１からのＰＷＭ信号によって導通期間が制御されるので、例えば負荷短絡が生じた場合、ＰＷＭ信号のデュティ比を小さくして、ＦＥＴ４０ａ、４０ｂに流れる電流を制限できるので、短絡保護が可能であり、特別に短絡保護回路を設ける必要がない。また、デュティ比を大きくすることによって、降圧チョッパ３６の出力電圧の立ち上がりを速くすることができ、めっき電極６０ａ、６０ｂに供給される電流の立ち上がりを速くすることができ、応答性を改善することができる。
【００２９】
また、ＩＧＢＴ５２ａが導通し、ＩＧＢＴ５２ｂが非導通である状態から、ＩＧＢＴ５２ａが非導通で、ＩＧＢＴ５２ｂが導通状態に移行する間のＩＧＢＴ５２ａ、５２ｂが共に非導通の状態では、リアクトル５８に蓄積されたエネルギーに基づく電流が、めっき用電極５９、めっき材、めっき用電極６０、リアクトル６１に流れ、リアクトル６１に蓄積されたエネルギーに基づく電流と共に、平滑用コンデンサ３８ｂ、ダイオード６２ｂ、ダイオード５６ｂを介して流れ、平滑用コンデンサ３８ｂに電流が回生される。従って、この電源装置の効率を改善することができる上に、ＩＧＢＴ５２ｂに対するスナバ回路も不要である。
【００３０】
同様に、ＩＧＢＴ５２ｂが導通し、ＩＧＢＴ５２ａが非導通である状態から、ＩＧＢＴ５２ｂが非導通で、ＩＧＢＴ５２ａが導通状態に移行する間のＩＧＢＴ５２ａ、５２ｂが共に非導通の状態では、リアクトル６１に蓄積されたエネルギーに基づく電流が、めっき用電極６０、めっき材、めっき用電極５９、リアクトル５８に流れ、リアクトル５８に蓄積されたエネルギーに伴う電流と共に、ダイオード５６ａ、ダイオード６２ａ、平滑用コンデンサ３８ａに流れ、平滑用コンデンサ３８ａに電流が回生される。従って、この電源装置の効率を改善することができる上に、ＩＧＢＴ５２ａに対するスナバ回路も不要である。
【００３１】
しかも、例えばＩＧＢＴ５２ａが共に非導通のとき、リアクタ４２ａに蓄積されたエネルギーに基づく電流が、ダイオード６２ａ、平滑用コンデンサ３８ａ、ダイオード４８ａに流れ、平滑用コンデンサ３８ａに電流が回生される。同様に、ＦＥＴ４０ｂ、ＩＧＢＴ５２ｂが共に非導通のとき、リアクトル４２ｂに蓄積されたエネルギーに基づく電流が、ダイオード４８ｂ、平滑用コンデンサ３８ｂ、ダイオード６２ｂに流れ、平滑用コンデンサ３８ｂに電流が回生される。このように、降圧チョッパ３６においてリアクトル４２ａ、４２ｂによって生じるはずの損失も減少し、この電源装置における効率は改善される。なお、このとき、ＦＥＴ４０ａ、４０ｂは、所定の周期で交互に導通、非導通を繰り返している。
【００３２】
この電源装置では、整流器３４以降の回路では、変圧器３２の二次側の中性点３２Ｔが使用されており、これら回路に印加される電圧は、中性点を使用していない場合よりも小さい電圧である。従って、これら回路に使用するＦＥＴやＩＧＢＴには、定格の小さいものを使用することができる。
【００３３】
本発明の第２の参考例を図３に示す。この実施の形態では、第１の実施の形態で示しためっき用電源装置における変圧器３２の二次側以降の回路、即ち、整流器３４、降圧チョッパ３６、直流−交流変換器５０、リアクトル５８、６１、ダイオード６２ａ、６２ｂ等よりなる回路が、複数組、例えば２組設けられ、これら２組の回路が並列に接続され、共通の変圧器３２からそれぞれの回路に三相交流電圧が供給されている。無論、中性点３２Ｔも共通に接続されている。
【００３４】
このように２回路を並列に接続しているので、同じ電力を出力する場合に、各回路の構成要素には、定格電流の低いものを使用することができ、コストダウンを図ることができる。
【００３５】
本発明の第１の実施の形態を図４に示す。この実施の形態は、降圧チョッパ３６の構成が一部相違する以外、第１の参考例と同様に構成されている。同等部分には、同一符号を付して、その説明を省略する。
【００３６】
この降圧チョッパ３６では、平滑用コンデンサ３８ａの正極とＦＥＴ４０ａのドレインとの間に、昇圧用コンデンサ７０が接続され、更に、このコンデンサ７０と並列に単方向性素子、例えばダイオード７２が、それのアノードが平滑用コンデンサ３８ａの正極側に、カソードがＦＥＴ４０のドレインに接続されている。
【００３７】
同様に平滑用コンデンサ３８ｂの負極とＦＥＴ４０ｂのソースとの間に、昇圧用コンデンサ７４が接続され、更に、このコンデンサ７４と並列にダイオード７６が、それのカソードが平滑用コンデンサ３８ｂの負極側に、アノードがＦＥＴ４０ｂのソースに接続されている。
【００３８】
このように構成しているので、ＦＥＴ４０ａや４０ｂが導通しているときには、ダイオード７２や７６を介して電流が流れるので、昇圧用コンデンサ７０、７４は充電されない。しかし、ＩＧＢＴ５２ａが導通状態で、ＩＧＢＴ５２ｂが非導通状態から、ＩＧＢＴ５２ａが非導通状態で、ＩＧＢＴ５２ｂが導通状態に変化するとき、リアクトル５８、６１の蓄積エネルギーに基づく電流が、ダイオード５６ａ、６２ａを介して昇圧用コンデンサ７０及び平滑用コンデンサ３８ａを充電する。これによって、昇圧用コンデンサ７０には充電電圧が発生する。次に、ＩＧＢＴ５２ａが導通状態、ＩＧＢＴ５２ｂが非導通状態になり、ＦＥＴ４０ａが導通状態のとき、図５（ａ）に示すように、平滑用コンデンサ３８ａの電圧Ａと昇圧用コンデンサ７０の電圧Ａ’とを加算した電圧、即ち昇圧用コンデンサ７０の充電電圧Ａ’の分だけ昇圧された電圧が、直流−交流変換器５０に印加される。同様に、ＩＧＢＴ５２ｂが導通状態で、ＩＧＢＴ５２ａが非導通状態から、ＩＧＢＴ５２ｂが導通状態で、ＩＧＢＴ５２ａが非導通状態に変化するときに、昇圧用コンデンサ７４が充電される。そして、ＩＧＢＴ５２ｂが導通状態、ＩＧＢＴ５２ａが非導通状態になり、ＦＥＴ４０ｂが導通状態のとき、平滑用コンデンサ３８ｂの電圧を昇圧用コンデンサ７４の充電電圧の分だけ昇圧した電圧が、直流−交流変換器５０に印加される。
【００３９】
このように直流−交流変換器５０に供給される電圧が昇圧されているので、図５（ｂ）に示すように、めっき用電極５９、６０を流れる電流の立ち上がり波形が、従来の波形Ｂよりも急峻なＢ’の波形となり、めっき性能の向上が図られる。
【００４０】
図６に第２の実施の形態を示す。この実施の形態では、第２の参考例において、２つの降圧チョッパ３６に、第１の実施の形態において示したコンデンサ７０、７４、ダイオード７２、７６を付加したものである。このように構成しているので、第２の参考例及び第１の実施の形態と同様に動作する。
【００４１】
上記の各実施の形態では、正極性用及び負極性用の降圧チョッパ３６ａ、３６ｂを設けたが、例えば直流−交流変換器５０を、例えばフルブリッジまたはハーフブリッジ構成のインバータによって構成した場合、一方の降圧チョッパのみを設ければよい。また、上記の実施の形態では、三相商用交流電源を使用したが、単相商用交流電源を使用してもよい。
【００４２】
【発明の効果】
以上のように、本発明によれば、電源効率が改善できるし、かつ応答性を向上させることができる。
【図面の簡単な説明】
【図１】  本発明の第１の参考例のめっき用電源装置の回路図である。
【図２】  図１のめっき用電源装置における負荷電流を示す図である。
【図３】  本発明の第２の参考例のめっき用電源装置の回路図である。
【図４】  本発明の第１の実施の形態のめっき用電源装置の回路図である。
【図５】  図４のめっき用電源装置の各部の波形を示す図である。
【図６】  本発明の第２の実施の形態のめっき用電源装置の回路図である。
【図７】  従来のめっき用電源装置の回路図である。
【符号の説明】
３４  整流器
３６  降圧チョッパ
５０  直流−交流変換器
【図１】
0004000010.tif 000002
【図２】
0004000010.tif 000003
【図３】
0004000010.tif 000004
【図４】
0004000010.tif 000005
【図５】
0004000010.tif 000006
【図６】
0004000010.tif 000007
【図７】
0004000010.tif 000008